(57)【要約】【課題】  光源の長寿命化や高効率化を容易に図ることができ、かつ、エネルギーの利用効率も大幅に引き上げることができる棒受け漁用の集魚灯を提供する。【解決手段】  集魚灯１は、ショートアークで小型のメタルハライドランプが使用される光源２０と、光源２０からの光を集光して反射させる反射ミラー２１と、光源２０を安定的に点灯させる安定器２７と、光源２０の瞬時の点灯及び瞬時の再点灯を行わせるスターター２８とを有するランプユニット２を、一体として複数台、かつ、防水状態で備えるとともに、複数のランプユニット２中の光源２０を同時に点灯及び消灯させる回路手段９を備えた。反射ミラー２１の使用により光の利用効率がよくなった小型の光源２０を用いて、小型軽量なランプユニット２を作り、これらを複数台用いて集魚灯１を形成しているので、この集魚灯１を棒受け漁用の漁船の支持棒に取り付けても、これに大きな撓みは生じない。【選択図】        図４
2009022205.tif 000002
【特許請求の範囲】
【請求項１】
漁船から水面側に突出する支持棒に取り付けられ、水中に光を照射することにより、前記漁船の周りに魚を集めて、この魚を棒受け網中に誘い込む棒受け漁用の集魚灯において、
ショートアークで小型のメタルハライドランプが使用される光源と、前記光源からの光を集光して反射させる反射ミラーと、前記光源を安定的に点灯させる安定器と、前記光源の瞬時の点灯及び瞬時の再点灯を行わせるスターターとを有するランプユニットを、複数台一体となるように、かつ、防水状態で備えるとともに、
前記複数のランプユニット中の前記光源を同時に点灯及び消灯させる回路手段を備えていることを特徴とする棒受け漁用の集魚灯。
【請求項２】
前記反射ミラーは、前記光源からの光をほぼ平行なスポット光として反射させるための焦点を備えているとともに、前記ランプユニットは、前記反射ミラーの光軸方向に前記光源を移動させ、前記反射ミラーからの反射光を、ほぼ平行なスポット光と、外方に発散する光とに切り替えるランプ移動手段を有しており、かつ、前記回路手段は、前記複数のランプユニットの前記ランプ移動手段を同時に作動させる機能を有していることを特徴とする請求項１記載の棒受け漁用の集魚灯。
【請求項３】
前記光源は、発光内管及び外管内の電極線の向きが前記反射ミラーの光軸方向と直行するように、この反射ミラーに位置決めされていることを特徴とする請求項１又は２記載の棒受け漁用の集魚灯。
【請求項４】
前記スターターは、プラス１０ＫＶ、マイナス１０ＫＶの点灯用交流電圧を前記光源に印加することを特徴とする請求項１乃至３の何れかに記載の棒受け漁用の集魚灯。
【発明の詳細な説明】
【技術分野】
【０００１】
本発明は、漁船から水面側に突出する支持棒に取り付けられ、水中に光を照射することにより、前記漁船の周りに魚を集めて、この魚を棒受け網中に誘い込む棒受け漁用の集魚灯に関するものである。
【背景技術】
【０００２】
従来より、光に集まる性質（走光性）を有する魚（サンマや烏賊等）の捕獲には、夜間、漁船上から水中を明るく照らして魚を漁船周りに集める集魚灯が用いられている。例えば、棒受け網を用いたサンマの棒受け漁では、漁船の船体から海側に延びる長尺な支持棒に、多数の光源が取り付けられた集魚灯（いわゆる、スズラン灯）が用いられ、かかる集魚灯を状況に応じて点灯・消灯させることにより、サンマを漁船周りに集めるとともに、このサンマを棒受け網に誘い込んで捕獲している。
【０００３】
上記集魚灯には、瞬時点灯や瞬時再点灯が可能な、例えば、５００〜７５０Ｗの白熱電球が２１個、支持棒に取り付けられていて、１００トン程度の中型漁船では、この集魚灯を２０本以上備えている。このため、このような集魚灯を備えた漁船の消費電力は大きなものとなっている。
【０００４】
一方、近年の集魚灯では、白熱電球に替えて、高輝度放電ランプの一つである大型のメタルハイドランプが使用され、光源の長寿命化や高効率化（省電力化）が図られている。
【発明の開示】
【発明が解決しようとする課題】
【０００５】
しかしながら、上記大型のメタルハイドランプは、棒受け漁に不可欠な瞬時点灯、瞬時再点灯が容易にできないため、これを棒受け漁用の集魚灯に用いるには、シャッターのような付加設備が必要になり、装置の複雑化やコスト高の問題が生じる。
【０００６】
また、上記メタルハイドランプには、安定器や点灯用のスターターが必要になるが、安定器は大型で重量があり、かつ、スターターは高周波ノイズ防止等の観点から安定器側に設置することが望まれることから、大型のメタルハイドランプを棒受け漁用の集魚灯に用いるには、メタルハイドランプのみを支持棒に取り付け、安定器とスターターとは船内に設置せざるをえないこととなる。このため、このような集魚灯では、スターターとメタルハイドランプとの間の高圧配線が支持棒に沿って長く設置されることとなり、これが電気を通しやすい海水等に触れることから、この高圧配線の漏電防止対策が充分にできず、安全性にも問題が生じる。また、上記集魚灯では、船内に安定器やスターターの収納空間が必要となり、船内が狭くなってしまうとともに、船内温度が安定器等から発する熱によって上昇し、作業者が船内に居づらいという問題もある。
【０００７】
したがって、棒受け漁用の集魚灯では、補助的なもの以外、大型のメタルハイドランプは使用されず、従来通りの白熱電球等が使用されつづけており、光源についての長寿命化や高効率化の問題は充分に解決されていない。
【０００８】
また、白熱電球を光源とした上記従来の集魚灯では、光源の上方に簡単な傘が設けられているのみであり、光源自体はこの傘からはみ出すように位置決めされているので、光源からの光が上方や側方に飛散し易く、エネルギーの利用効率上も問題がある。特に、発電用に使用される重油燃料の量も多いため、近年の石油製品の高騰を考えると、燃料費が経営を圧迫しているという問題もある。
【０００９】
この発明は、以上の点に鑑み、光源の長寿命化や高効率化を容易に図ることができるとともに、エネルギーの利用効率も大幅に引き上げることができる棒受け漁用の集魚灯を提供することを目的とする。
【課題を解決するための手段】
【００１０】
この発明の請求項１記載の発明は、漁船から水面側に突出する支持棒に取り付けられ、水中に光を照射することにより、前記漁船の周りに魚を集めて、この魚を棒受け網中に誘い込む棒受け漁用の集魚灯において、ショートアークで小型のメタルハライドランプが使用される光源と、前記光源からの光を集光して反射させる反射ミラーと、前記光源を安定的に点灯させる安定器と、前記光源の瞬時の点灯及び瞬時の再点灯を行わせるスターターとを有するランプユニットを、複数台一体となるように、かつ、防水状態で備えるとともに、前記複数のランプユニット中の前記光源を同時に点灯及び消灯させる回路手段を備えていることを特徴とする。
【００１１】
この発明では、漁船の支持棒に、これ１本に必要とされる光量を得るだけの数のランプユニットを取り付けても、以下の２つの理由により、支持棒に大きな撓みが生じるのを防止できる。１つ目の理由は、反射ミラーの使用により、光源から発せられる光の利用効率を上げているので、漁船の支持棒１本当たりに必要とされる光源（メタルハライドランプ）の総出力を充分に下げることができ、その分、安定器等の小型軽量化が図られているからである。２つ目は、光源に発光効率のよいメタルハライドランプを使用しているので、従来の白熱電球等の場合と比較して、光源の総出力を減少でき、この点からも、安定器等の小型軽量化が図られているからである。すなわち、この発明では、支持棒に安定器やメタルハライドランプを複数備えた集魚灯を取り付けても、支持棒に不都合（大きな撓み）は生じず、かつ、スターターと光源との間の距離も短くなって、安全上の問題も生じない。
【００１２】
また、この発明では、メタルハイドランプは、ショートアーク（電極線間距離が数ｍｍ以下、例えば、１．５〜５ｍｍ）で小型（例えば、出力が３５〜７５Ｗ）のため、ランプの発光内管が小さくなり、瞬時点灯及び瞬時再点灯も容易に可能となる。
【００１３】
この発明の請求項２記載の発明は、請求項１記載の発明の場合において、前記反射ミラーは、前記光源からの光をほぼ平行なスポット光として反射させるための焦点を備えているとともに、前記ランプユニットは、前記反射ミラーの光軸方向に前記光源を移動させ、前記反射ミラーからの反射光を、ほぼ平行なスポット光と、外方に発散する光とに切り替えるランプ移動手段を有しており、かつ、前記回路手段は、前記複数のランプユニットの前記ランプ移動手段を同時に作動させる機能を有していることを特徴とする。
【００１４】
この発明では、ショートアークのメタルハイドランプは点光源と見なせるため、これをランプ移動手段により、反射ミラーの光軸方向に沿って、焦点の位置に移動させれば、反射光をほぼ平行なスポット光にすることができるとともに、これをランプ移動手段により、反射ミラーの光軸方向に沿って焦点の位置からずらせば、反射光を外方に発散する発散光とすることができる。
【００１５】
この発明の請求項３記載の発明は、請求項１又は２記載の発明の場合に、前記光源は、発光内管及び外管内の電極線の向きが前記反射ミラーの光軸方向と直行するように、この反射ミラーに位置決めされていることを特徴とする。
【００１６】
この発明の請求項４記載の発明は、請求項１乃至３の何れかに記載の発明の場合に、前記スターターは、プラス１０ＫＶ、マイナス１０ＫＶの点灯用交流電圧を前記光源に印加することを特徴とする。
【発明の効果】
【００１７】
この発明の請求項１記載の発明によれば、メタルハライドランプの使用により、光源の長寿命化や高効率化を達成できるとともに、メタルハイドランプから発した光を反射ミラーで集めて、必要な場所に無駄なく照射できるので、エネルギーの利用効率を上げることができる。また、この発明によれば、同時に点灯・消灯する複数のランプユニットを一体的に備えているので、操作や取り付けが容易であるとともに、ランプユニットの並べ方により、集魚灯からの照度分布も、漁に合わせて種々に変えることができる。さらに、この発明によれば、光源として、ショートアークで小型のメタルハイドランプを使用しているので、瞬時点灯及び瞬時再点灯が容易に可能となり、シャッター等が不要となって、設備のコストダウンや構成の簡単化を図ることができる。さらに、この発明では、集魚灯内に安定器やスターターを有していて、これらを船内に置く必要がないので、船室内を広く利用することができるとともに、安定器等による船室内の温度上昇を防止でき、船室内の作業環境等をよくすることができる。
【００１８】
この発明の請求項２記載の発明によれば、ランプユニットから、水中深くまで達する、平行なスポット光と、水中を広く照射できる、発散光とを照射できるので、漁の状況に応じて集魚灯を種々に利用することができる。
【００１９】
この発明の請求項３記載の発明によれば、ランプユニットからの光を下向きに照射しても、発光内管と外管中を通る電極線の向きは、上下方向を向かず、水平方向を向くこととなる。このため、この発明では、発光内管や外管と電極線とのシール部が、熱のこもる反射ミラー近傍に位置することはなく、これらのシール部が熱によって損傷を受けるのを防止できる。また、下向き照射の場合に、発光内管が上下方向に向いていると、消灯時に発光内管中の発光体が、放電部から離れた発光内管の下部に結晶化するため、点灯時に発光体の完全蒸発が生じにくく、発光色の変更が生じるおそれがあるが、本発明では、このような現象を避けることができる。
【００２０】
この発明の請求項４記載の発明によれば、スターターから光源に印加する点灯用の高圧電圧を、プラス１０ＫＶ、マイナス１０ＫＶの交流電圧としたので、例えば、自動車のヘッドライトのように、プラス２０ＫＶの高電圧パルスを用いる場合に比べて、点灯用の電圧を下げることができ、その分設備の安全性を高めることができる。
【発明を実施するための最良の形態】
【００２１】
以下、この発明の実施の形態を図面を参照しつつ説明する。
図１はこの発明の一実施の形態に係る集魚灯の主要な構成要素であるランプユニットを示している。
【００２２】
ランプユニット２は、図１で示されるように、光源２０と、反射ミラー２１と、カバーレンズ２２と、ミラー支持板２３と、ランプガイド２４と、ランプ支持部２５と、ランプ移動手段となるランプ移動機構２６（図３参照）と、安定器２７と、スターター２８と、高圧配線２９とから構成されている。なお、説明の都合上、ランプユニット２から安定器２７、スターター２８、高圧配線２９を除いたものを、照明部３０という。
【００２３】
光源２０は、高輝度放電ランプ（ＨＩＤランプ）の一種であり、自動車のヘッドライト等に使用されるメタルハライドランプから形成されている。したがって、光源２０は、通常の白熱電球等と比べ、長寿命で、発光効率が高い高効率光源となっている。この光源２０は、図２で示されるように、細長くかつ透明で、内部に発光体（金属のハロゲン化物、又は金属のハロゲン化物とキセノンガスとの混合物）が封入されている発光内管２０ａと、この発光内管２０ａを囲む細長くて透明な外管２０ｂと、外管２０ｂの一端側から発光内管２０ａの一端側を通って、発光内管２０ａの中央部近くまで、互いに近接して向き合うように差し込まれている一対の電極線２０ｃ，２０ｃと、外管２０ｂの外側の電極線２０ｃを覆う保護部材２０ｄと、一対の電極線２０ｃ，２０ｃを高圧配線２９と接続させるソケット部２０ｅとから構成されている。
【００２４】
この光源２０は、出力が小型（本実施例では５５Ｗのものを使用）で、発光内管２０ａ内の電極間距離Ｄ（一対の電極線２０ｃ，２０ｃ間距離）が、数ミリ以下（例えば、１．５〜５ｍｍ程度）と短い、いわゆる、ショートアーク（点光源）タイプのものである。したがって、光源２０は、発光内管２０ａが小型となり、内部の高温・高圧化が容易であるとともに、電極間に形成される電弧の長さも小さいので、瞬時点灯、瞬時再点灯が容易に可能となる。なお、発光内管２０ａは、高品質な石英ガラスから形成されている。
【００２５】
また、この光源２０は、発光内管２０ａや外管２０ｂ内の電極線２０ｃの向き（放電極の向き）が、反射ミラー２１の光軸（回転対称軸）Ｙの向きと直行するように、反射ミラー２１に対して位置決めされている。このため、ランプガイド２４に支持されるソケット部２０ｅは、発光内管２０ａや外管２０ｂの長手方向と直行するように位置決めされている。また、光源２０は、ソケット部２０ｅが、反射ミラー２１の光軸Ｙに沿って移動可能に、ランプガイド２４に支持されているので、発光内管２０ａや外管２０ｂも、反射ミラー２１に対して、その光軸Ｙに沿って移動可能となっている。
【００２６】
ここで、このランプユニット２は、棒受け漁用の集魚灯に用いられるので、照明部３０を下向きにして、光が下向き照射されるように使用される（図９参照）。このため、光源２０の反射ミラー２１近傍には、光源２０で発生した熱がこもるという現象が生じるが、この場合、光源２０の発光内管２０ａや外管２０ｂ中の電極線２０ｃが、反射ミラー２１の光軸Ｙの向き（上下方向）に向いていると、光源２０には、上部側の電極線２０ｃと発光内管２０ａや外管２０ｂとのシール部Ｓ１，Ｓ２に熱による損傷が生じやすい。ところが、この光源２０では、照明部３０が下向きの場合でも、発光内管２０ａや外管２０ｂ中の電極線２０ｃは、反射ミラー２１の光軸Ｙに直交する向き（水平方向）に向いているので、発光内管２０ａや外管２０ｂと反射ミラー２１等との間に充分な放熱空間が設けられ、この放熱空間によって、光源２０のシール部Ｓ１，Ｓ２等に熱による損傷が生じるのが防止される。もちろん、反射ミラー２１外方の光源２０の取り付け部に、ヒートシンクのような冷却手段を取り付ければ、上記のような不都合は生じない。
【００２７】
また、光源２０の発光内管２０ａや外管２０ｂ（中の電極線２０ｃ）が、反射ミラー２１の光軸Ｙの向きに向き、かつ、下向き照射するように光源２０を下に向けると、光源２０の冷却時、発光内管２０ａ内の金属のハロゲン化物が放電部から離れた発光内管２０ａの下部で結晶化し、点灯時に、金属のハロゲン化物が完全に蒸発しにくく、光源２０の発光色が異なってしまうという問題があるが、発光内管２０ａ内の電極線２０ｃの向きを、反射ミラー２１の光軸Ｙに直交する向きに向ければ、金属のハロゲン化物が発光内管２０ａの放電部近傍に結晶化するため、このような不都合は生じない。
【００２８】
反射ミラー２１は、光源２０の背後や側方に照射される光を集めて（反射して）、前方のカバーレンズ２２側に照射するものである。この反射ミラー２１は、アルミ板から形成される放物面鏡であり、内面の鏡面部には、反射光を均一化するエンボス加工（小凹凸模様の付加）が施されている。この反射ミラー２１は、中心部を、ミラー支持板２３と不図示のねじを介して、ランプガイド２４の拡径部２４ａに加圧固定されており、ランプガイド２４の孔から突出する光源２０（詳細に言えば、発光内管２０ａ内の放電部分）を、その光軸Ｙ上に位置させている。なお、反射ミラー２１の外周部は、鏡面加工されていない平らなリング部２１ａとなっている。
【００２９】
カバーレンズ２２は、反射ミラー２１の開口端側を隙間なく覆って、反射ミラー２１や光源２０を保護するガラスレンズであり、外周部内面が、防水用のシリコンゴムＧを介して、反射ミラー２１のリング部２１ａに接着固定されている。このカバーレンズ２２は、光源２０からの前方への直接光及び反射ミラー２１からの反射光を、反射ミラー２１の光軸Ｙ側に集めるように、凸レンズ形状に形成されている。なお、ランプガイド２４は、光源２０のソケット部２０ｅを反射ミラー２１の光軸Ｙに沿って移動自在に支持しており、ランプ支持部２５は、ランプガイド２４に取り付けられ、内部に、ランプ移動機構２６を収納している。ランプガイド２４及びランプ支持部２５は、絶縁材から形成されている。
【００３０】
ランプ移動機構２６は、光源２０を、反射ミラー２１の光軸Ｙに沿って、この光軸Ｙ上の２点（焦点Ｆと後方拡散点Ｋ）間に、例えば１〜７ｍｍの距離Ｅだけ移動させるものである。このランプ移動機構２６は、図３で示されるように、ランプ支持部２５内に収納されており、励磁によって可動鉄芯２６０ａを所定距離だけ内部に引き込むソレノイド２６０と、ソレノイド２６０の可動鉄芯２６０ａを弾性力により所定距離だけ外方に引き出すバネ部材２６１と、支点Ｒを中心にランプ支持部２５に回動自在に支持され、ソレノイド２６０の可動鉄芯２６０ａの進退によって、電極線２０ｃのソケット部２０ｅを反射ミラー２１の光軸Ｙに沿って移動させ、光源２０（発光内管２０ａ）を反射ミラー２１の焦点Ｆと発散点Ｋの位置に位置決めするカム２６２とから構成されている。なお、ソレノイド２６０の可動鉄芯２６０ａとカム２６２、及びカム２６２と電極線２０ｃのソケット部２０ｅとは、それぞれ、回動可能なピン接合部Ｑ１，Ｑ２により連結されている。また、ソレノイド２６０には、電源コード２６０ｂを介して、所定の電源から電気が供給される。
【００３１】
ここで、ソレノイド２６０に電源が投入され、これが励磁されると、可動鉄芯２６０ａが内部に引き込まれ、カム２６２を介して、光源２０のソケット部２０ｅがランプ支持部２５内に引き込まれるので、光源２０は反射ミラー２１の発散点Ｋの位置に位置決めされる。このため、光源２０からの光は、カバーレンズ２２である程度は収束されるが、光柱角が最大で４５度となるような発散光として外方に照射される。また、ソレノイド２６０への電気の供給が停止されると、可動鉄芯２６０ａがバネ部材２６１により外方に所定長さだけ引き出され、カム２６２を介して、光源２０は反射ミラー２１の焦点Ｆの位置に位置決めされる。このため、光源２０からの光は、反射ミラー２１とカバーレンズ２２を介して、ほぼ平行なスポット光として外方に照射される。
【００３２】
安定器２７は、光源２０を安定的に点灯させるものであり、出力５５Ｗの光源２０用で、その大きさは、縦１２０ｍｍ、横９０ｍｍ、厚さ３５ｍｍであり、その重さは、数百グラムである。なお、安定器２７には、電源コード２７ａを介して、ＡＣ１００〜２４０Ｖ電源から電気が供給される。
【００３３】
スターター２８は、電気的に、安定器２７と光源２０との間に置かれ、光源２０を瞬時点灯（冷えた状態から瞬時に所望の光量が得られるように点灯させること）、及び瞬時再点灯（消灯後直ちに所望の光量が得られるように点灯させること）させるものである。このスターター２８は、プラス１０ＫＶ、マイナス１０ＫＶの高電圧交流を光源２０に印加して、光源２０の瞬時点灯、瞬時再点灯を実現している。このため、このスターター２８は、自動車のヘッドライト用のスターター（例えば、２０ＫＶの高電圧パルスを印加）等と比べ、瞬間的には１０ＫＶの電位差しか生じさせないため、安全性に優れている。
【００３４】
このスターター２８は、光源２０との間の高圧配線２９を短くして、漏電防止性能といった設備の安全性を高めるため、光源２０の近くに設置される。また、このスターター２８は、安定器２７とスターター２８間の配線に、高圧配線２９に起因して、高周波ノイズが発生するのを防止すべく、安定器２７と一体又は安定器２７の近くに設置される。
【００３５】
図４はこの発明の一実施の形態に係る集魚灯１を示している。
この集魚灯１は、出力５５Ｗの光源２０を使用したランプユニット２を６セット、一列に並べるように一体化し、内部への水の侵入を防止（防水処理）したものである。この集魚灯１は、図４で示されるように、６セットのランプユニット２と、ランプユニット２を収納する断面（コ）の字形の細長いケース３と、ケース３の開口を覆って塞ぐとともに、ランプユニット２の照明部３０が取り付けられるケース蓋４と、断面（コ）の字型の、６個のリング状ゴムパッキン５と（図１参照）、６個の押さえ枠板６と、複数の止めねじ７と、２枚のガイド板８と、６個のランプユニット２を同時に点灯・消灯させる回路手段としての端子板９と、トグルスイッチ１０とから構成されている。なお、ケース３、ケース蓋４、押さえ枠板６、及びガイド板８は、薄い（例えば厚さ１．２ｍｍ）ステンレス板から形成されている。また、止めねじ７もステンレス材により形成されている。
【００３６】
ケース蓋４には、図４の（ａ）で示されるように、１９０ｍｍのピッチＰで、ランプユニット２のカバーレンズ２２等をケース３の外に突き出すための円形開口４ａ（図１参照）が、６個形成されているとともに、押さえ枠板６にも同じサイズの円形開口６ａが形成されている。ランプユニット２の照明部３０をケース蓋４に取り付けるには、図１で示されるように、反射ミラー２１とカバーレンズ２２との外周部にゴムパッキン５が嵌め込まれた照明部３０のゴムパッキン５側を、円形開口４ａから突き出すようにしてケース蓋４に当てるとともに、カバーレンズ２２の中央部を円形開口６ａ側に逃がすようにして、ゴムパッキン５の反対側に押さえ枠板６を当てた後、押さえ枠板６側から差し込んだ止めねじ７をケース蓋４にねじ込み、照明部３０のゴムパッキン５側を押さえ枠板６によりケース蓋４側に加圧固定すればよい。
【００３７】
したがって、集魚灯１は、図４の（ｂ）で示されるように、ケース３内にランプユニット２の６セット分の安定器２７とスターター２８とを収納するように取り付けた後、６つの安定器２７からの電源コード２７ａを端子板９に接続するとともに、ケース蓋４に取り付けられたランプユニット２の６つの照明部３０からの電源コード２６０ｂを端子板９に接続し、つぎに、６つの照明部３０が取り付けられたケース蓋４をケース３に不図示のパッキンを介して取り付け、最後に、２つのガイド板８をケース３に取り付ければ、防水処理された状態で、その外観は完成する。そして、ケース３の端子板９には、ケース３の貫通パイプ部３ｂを介して、船内の所定の電源につながる電源ケーブルが接続されるとともに、船内の操作盤側からの、光源２０の遠隔操作用オン／オフ信号線と、ソレノイド２６０の遠隔操作用の動作信号線とがパイプ部３ｂを介して接続される。なお、トグルスイッチ１０は、現場で、ランプユニット２の６つの光源２０を同時に点灯及び消灯するためのものである。
【００３８】
この集魚灯１は、ケース３の長さＬ１が１１４０ｍｍ、幅Ｌ２が１９０ｍｍ、奥行きＬ３が１５５ｍｍ、ガイド板８間の最大距離Ｌ４が２５０ｍｍ、ガイド板８を含めた奥行きＬ５が２００ｍｍの細長い形状のものであり、総重量も１９Ｋｇしかない。したがって、この集魚灯１を、ケース３の上部の両端側に設けられた固定部３ａを介して、漁船１００の支持棒１０１（何れも図７参照）の一端側に取り付けても、光源２０の全出力が小さくて、その総重量も小さいので、この集魚灯１によって、支持棒１０１が大きく撓んでしまうことはなく、この集魚灯１の取り扱いも容易となる。
【００３９】
また、この集魚灯１では、６つのランプユニット２を同時に点灯及び消灯できるとともに、６つのランプユニット２からの光を、同時に、スポット光Ｊ１か、発散光Ｊ２（何れも図８参照）かに変更できるので、６つのランプユニット２の取り扱いも容易である。
【００４０】
さらに、この集魚灯１では、反射ミラー２１やカバーレンズ２２を使用して、光源２０からの光をロスなく所望の場所に照射できるので、従来の集魚灯に比べて、エネルギーの利用効率がよい。すなわち、この集魚灯１では、簡単な傘を使用した従来の白熱電球の集魚灯（スズラン灯）（このスズラン灯では、光源（白熱電球）の側方や一部上方への光の飛散があるため、必要な海面の照射には、多く見積もっても、発生光量の１／２程度しか利用されていない）に比べて、光の利用効率を２倍以上、上げることができる。また、この集魚灯１では、メタルハライドランプを使用しているので、白熱電球等と比べて発光効率がよく、出力５５Ｗの６個の光源２０（総出力３５０Ｗ）で、裸電球の状態で使用される出力５００Ｗの白熱電球６個分（総出力３ＫＷ）の光量を出すことができる。このため、この集魚灯１は、必要な場所への必要量の光の照射という観点では、出力５００Ｗの白熱電球１２個を備えた従来のスズラン灯と同等とみなすことができる。したがって、この集魚灯１では、エネルギーの有効利用を図ることができ、経費の節減を図ることができる。
【００４１】
もちろん、この集魚灯１では、光源２０にメタルハライドランプを使用しているので、光源２０の高効率化以外に、光源２０の長寿命化をも図ることができるとともに、メタルハライドランプを使用しても、光源２０の瞬時点灯及び瞬時再点灯ができるので、その使い勝手が悪くなることもない。
【００４２】
また、この集魚灯１では、光源２０からの光を、スポット光Ｊ１と発散光Ｊ２とに瞬時に切り替えることができるので、例えばサンマ漁で、サンマが海中の深い位置にいる場合や漁船から離れた位置にいる場合には、水中深く達するスポット光Ｊ１を用い、サンマが比較的漁船近くに達すると、発散光Ｊ２を用いて漁船の周りを広く照らす等、漁の状態に応じて、集魚灯１を種々に利用することができる。
【００４３】
さらに、この集魚灯１では、６個のランプユニット２が１列に長く配置されているので、棒受け漁に適した、漁船側から海側に向かって細長い照度分布を容易に得ることができる。
【００４４】
また、この集魚灯１では、安定器２７やスターター２８を船室内に収納する必要がないので、船室内を広く利用できるとともに、安定器２７等による船室内の温度上昇を防止でき、船室内の作業環境等をよくすることができる。もちろん、この集魚灯１では、光源２０とスターター２８間の高圧配線２９が短く、かつ、スターター２８や高圧配線２９がケース３内に防水状態で収納されているので、高圧配線２９等に漏電等が生じにくく、設備の安全性を高めることができる。
【００４５】
なお、集魚灯１は、ランプユニット２を３個以上横に並べたものであればよく、光源２０の出力も、３５Ｗ〜７０Ｗ程度の小型のものであれば、どのようなものでもよい。
【００４６】
また、反射ミラー２１の形状も、反射光を平行光にできるものであれば、放物面形状に限らず、楕円面の一部を用いるものであってもよい。
【００４７】
さらに、ケース３やケース蓋４等の材質を、金属材（ステンレス材）でなく、ＦＲＢ等から形成することにより、集魚灯１の重量をさらに小さくすることができる。
【００４８】
図５及び図６は他の実施の形態に係る集魚灯１Ａを示している。この集魚灯１Ａでは、１つのランプユニット２のみを、１個用のケース蓋や押さえ枠板等を使用して、小ケース１１中に取り付けてランプ装置２Ａを形成し、このランプ装置２Ａを、複数台（この場合、６台）、平面的に（例えば１０角形状に）並べた後、これらを、その背面側に配置される支持具１２，１３で一体的に連結支持させたものである。なお、符号１４は、支持具１３に支持されるサイドカバーであり、符号１５は、６つのランプ装置２Ａを、同時に点灯・消灯させるとともに、光源２０を同時に移動させるための、防水処理された回路手段としての端子板である。
【００４９】
この集魚灯１Ａでは、中央部に配置されるものを除いた、外周側に配置されるランプ装置２Ａが、光の照射面をやや側方を向けるように傾けられていて、広範囲に光を照射できるようになっている。また、この集魚灯１Ａでは、ランプ装置２Ａの並べ方によって、種々の形状の照度分布を簡単に得ることができる。
【００５０】
つぎに、この集魚灯１を使用した、例えばサンマの棒受け漁について説明する。
図７は、サンマの棒受け漁を行う漁船１００を上方から見た状態を示している。
この漁船１００には、右舷１００ａ側に６本、左舷１００ｂ側に２本、船首１００ｃ側に１本、計９本の細長い支持棒１０１が、海面側に突き出すように位置決めされており、これらの支持棒１０１の一端側には、海面を照射できるように集魚灯１が下向きに取り付けられている。これらの支持棒１０１は、下端を支点として上端側を上下方向に回動できるようになっているが、この実施の形態例では、図９で示されるように、海面Ｈと例えば２０度の角度をなすように位置決めされていて、集魚灯１が海面Ｈに向かってほぼ下向きに光を照射している。船首１００ｃ側の支持棒１０１のみは、下端を中心に、右舷１００ａ側から、左舷１００ｂ側まで、首を振るように水平回動でき、その集魚灯１で、漁船１００の右舷１００ａ側から船首１００ｃ側を通って左舷１００ｂ側までの海面Ｈを照射する。なお、漁船１００の左舷１００ｂ側の中央の支持棒１０１には、本発明とは異なる赤色光を発する集魚灯２００が取り付けられている。
【００５１】
図８は、漁船１００のすべての集魚灯１を点灯した状態を示している。漁船１００には、平面上、これと直行するように海面Ｈ側に向かって支持棒１０１が取り付けられ、この支持棒１０１に沿って集魚灯１が取り付けられているので、この集魚灯１を点灯すると、漁船１００外方の海面Ｈは縦長の楕円状に照らされる。この場合、集魚灯１からの光がスポット光Ｊ１であれば、各集魚灯１からの光は交わることなく海面Ｈを強く照射するが、集魚灯１からの光が発散光Ｊ２であれば、少なくとも、右舷１００ａ側の集魚灯１からの光は、互いに重なり合い、漁船１００の右舷１００ａ側の海面Ｈ全体を広く照射する。
【００５２】
サンマ漁用の棒受け網１０２は、図７で示されるように、上方から見て四角い開口を有した袋状のものであり、一般に漁船１００の左舷１００ｂ側に仕掛けられる。この棒受け網１０２には、漁船１００から離れた側の開口端に、海面Ｈに浮く、細長い向竹１０３が取り付けられており、漁船１００側の開口端１０２ａには、これを漁船１００側に引き上げるための複数のロープ１０４が取り付けられている。この棒受け網１０２では、サンマＳ（図９参照）を内部に誘い込んだ後、ロープ１０４を引いて開口端１０２ａを海面Ｈ側に持ち上げるとともに、向竹１０３を漁船１００側に引いて、サンマＳを捕獲する。
【００５３】
夜間、魚群探知機等を使用してサンマＳの群れを見つけると、漁船１００は微速で進み、船首１００ｃ側の集魚灯１も右舷１００ａ側に回して、右舷１００ａ側の集魚灯１をすべて点灯し、漁船１００の右舷１００ａ側に走光性のサンマＳを誘集する。この場合、サンマＳが海中深い位置にいれば、集魚灯１からは、到達距離の長いスポット光Ｊ１が照射され、サンマＳが海中の浅い位置にいたり、浅い位置に上がってくると、広範囲に光を照射する発散光Ｊ２が照射される。また、サンマＳの群れの移動状況によっては、集魚灯１を消灯して漁船１００をサンマＳの群れの方に高速移動させた後、集魚灯１を上述のように点灯する。そして、サンマＳが漁船１００の右舷１００ａ側に集まり始めると、漁船１００の左舷１００ｂ側に、棒受け網１０２を仕掛ける。
【００５４】
つぎに、図９で示されるように、サンマＳの群れが漁船１００の右舷１００ａ側に充分に集まってくると、右舷１００ａ側の集魚灯１を消灯し、左舷１００ｂ側の集魚灯１を点灯して、漁船１００の右舷１００ａ側のサンマＳを船底下方を通って左舷１００ｂ側に移動させる。この場合、船首１００ｃ側の集魚灯１は、点灯した状態で、左舷１００ｂ側までゆっくり回動され、サンマＳを漁船１００の左舷１００ｂ側に誘導するとともに、消灯後右舷１００ａ側に回動して同様な動作を繰り返す。そして、図１０で示されるように、サンマＳを漁船１００の左舷１００ｂ側に充分誘導すると、左舷１００ｂ側の集魚灯１も消灯し、赤色の集魚灯２００のみを点灯して、サンマＳを海面Ｈ近くまで上昇させ、その後、ロープ１０２ｃを引き上げるとともに、向竹１０２ａを引き寄せ、サンマＳを棒受け網１０２を用いて捕獲する。なお、右舷１００ａ側の集魚灯１を消灯後、左舷１００ｂ側へサンマＳが充分に集まらない場合等には、再度右舷１００ａ側の集魚灯１を点灯する等をして、臨機応変な漁がなされる。
【００５５】
以上のように、サンマ漁では、集魚灯１の点灯・消灯が繰り返されるので、集魚灯１には、瞬時点灯、瞬時再点灯の機能が要求されるが、この集魚灯１では、その要求に充分答えることができる。なお、支持棒１０１を長くし、これに、２つの集魚灯１を直列に取り付けるようにしてもよい。
【図面の簡単な説明】
【００５６】
【図１】この発明の一実施の形態に係る集魚灯の主要な構成要素であるランプユニットの説明図である。
【図２】ランプユニットの光源の拡大説明図である。
【図３】ランプユニットのランプ移動機構の説明図である。
【図４】集魚灯を示す図であり、（ａ）は正面図、（ｂ）は（ａ）のＡＡ矢視断面図、（ｃ）は（ａ）のＢＢ矢視図である。
【図５】変更実施例に係る集魚灯の側断面図である。
【図６】図５のＣＣ矢視図である。
【図７】集魚灯を備えた漁船の平面図である。
【図８】漁船の集魚灯をすべて点灯した状態を示す図である。
【図９】集魚灯で海中のサンマを漁船の右舷側に集めている状態を示す図である。
【図１０】漁船の右舷側のサンマを左舷側の棒受け網に誘導している状態を示す図である。
【符号の説明】
【００５７】
１    集魚灯
２    ランプユニット
９    端子板（回路手段）
２０    光源
２０ａ  発光内管
２０ｂ  外管
２０ｃ  電極線
２１    反射ミラー
２６    ランプ移動機構（ランプ移動手段）
２７    安定器
２８    スターター
１００    漁船
１０１    支持棒
１０２    棒受け網
Ｆ    焦点
Ｈ    海面（水面）
Ｊ１  スポット光
Ｊ２  発散光
Ｙ    光軸
【図１】
2009022205.tif 000003
【図２】
2009022205.tif 000004
【図３】
2009022205.tif 000005
【図４】
2009022205.tif 000006
【図５】
2009022205.tif 000007
【図６】
2009022205.tif 000008
【図７】
2009022205.tif 000009
【図８】
2009022205.tif 000010
【図９】
2009022205.tif 000011
【図１０】
2009022205.tif 000012
【手続補正書】
【提出日】平成19年9月19日(2007.9.19)
【手続補正１】
【補正対象書類名】明細書
【補正対象項目名】全文
【補正方法】変更
【補正の内容】
【発明の詳細な説明】
【技術分野】
【０００１】
本発明は、漁船から水面側に突出する支持棒に取り付けられ、水中に光を照射することにより、前記漁船の周りに魚を集めて、この魚を棒受け網中に誘い込む棒受け漁用の集魚灯に関するものである。
【背景技術】
【０００２】
従来より、光に集まる性質（走光性）を有する魚（サンマや烏賊等）の捕獲には、夜間、漁船上から水中を明るく照らして魚を漁船周りに集める集魚灯が用いられている。例えば、棒受け網を用いたサンマの棒受け漁では、漁船の船体から海側に延びる長尺な支持棒に、多数の光源が取り付けられた集魚灯（いわゆる、スズラン灯）が用いられ、かかる集魚灯を状況に応じて点灯・消灯させることにより、サンマを漁船周りに集めるとともに、このサンマを棒受け網に誘い込んで捕獲している。
【０００３】
上記集魚灯には、瞬時点灯や瞬時再点灯が可能な、例えば、５００〜７５０Ｗの白熱電球が２１個、支持棒に取り付けられていて、１００トン程度の中型漁船では、この集魚灯を２０本以上備えている。このため、このような集魚灯を備えた漁船の消費電力は大きなものとなっている。
【０００４】
一方、近年の集魚灯では、白熱電球に替えて、高輝度放電ランプの一つである大型のメタルハライドランプが使用され、光源の長寿命化や高効率化（省電力化）が図られている。
【発明の開示】
【発明が解決しようとする課題】
【０００５】
しかしながら、上記大型のメタルハライドランプは、棒受け漁に不可欠な瞬時点灯、瞬時再点灯が容易にできないため、これを棒受け漁用の集魚灯に用いるには、シャッターのような付加設備が必要になり、装置の複雑化やコスト高の問題が生じる。
【０００６】
また、上記メタルハライドランプには、安定器や点灯用のスターターが必要になるが、安定器は大型で重量があり、かつ、スターターは高周波ノイズ防止等の観点から安定器側に設置することが望まれることから、大型のメタルハライドランプを棒受け漁用の集魚灯に用いるには、メタルハライドランプのみを支持棒に取り付け、安定器とスターターとは船内に設置せざるをえないこととなる。このため、このような集魚灯では、スターターとメタルハライドランプとの間の高圧配線が支持棒に沿って長く設置されることとなり、これが電気を通しやすい海水等に触れることから、この高圧配線の漏電防止対策が充分にできず、安全性にも問題が生じる。また、上記集魚灯では、船内に安定器やスターターの収納空間が必要となり、船内が狭くなってしまうとともに、船内温度が安定器等から発する熱によって上昇し、作業者が船内に居づらいという問題もある。
【０００７】
したがって、棒受け漁用の集魚灯では、補助的なもの以外、大型のメタルハライドランプは使用されず、従来通りの白熱電球等が使用されつづけており、光源についての長寿命化や高効率化の問題は充分に解決されていない。
【０００８】
また、白熱電球を光源とした上記従来の集魚灯では、光源の上方に簡単な傘が設けられているのみであり、光源自体はこの傘からはみ出すように位置決めされているので、光源からの光が上方や側方に飛散し易く、エネルギーの利用効率上も問題がある。特に、発電用に使用される重油燃料の量も多いため、近年の石油製品の高騰を考えると、燃料費が経営を圧迫しているという問題もある。
【０００９】
この発明は、以上の点に鑑み、光源の長寿命化や高効率化を容易に図ることができるとともに、エネルギーの利用効率も大幅に引き上げることができる棒受け漁用の集魚灯を提供することを目的とする。
【課題を解決するための手段】
【００１０】
この発明の請求項１記載の発明は、漁船から水面側に突出する支持棒に取り付けられ、水中に光を照射することにより、前記漁船の周りに魚を集めて、この魚を棒受け網中に誘い込む棒受け漁用の集魚灯において、ショートアークで小型のメタルハライドランプが使用される光源と、前記光源からの光を集光して反射させる反射ミラーと、前記光源を安定的に点灯させる安定器と、前記光源の瞬時の点灯及び瞬時の再点灯を行わせるスターターとを有するランプユニットを、複数台一体となるように、かつ、防水状態で備えるとともに、前記複数のランプユニット中の前記光源を同時に点灯及び消灯させる回路手段を備えていることを特徴とする。
【００１１】
この発明では、漁船の支持棒に、これ１本に必要とされる光量を得るだけの数のランプユニットを取り付けても、以下の２つの理由により、支持棒に大きな撓みが生じるのを防止できる。１つ目の理由は、反射ミラーの使用により、光源から発せられる光の利用効率を上げているので、漁船の支持棒１本当たりに必要とされる光源（メタルハライドランプ）の総出力を充分に下げることができ、その分、安定器等の小型軽量化が図られているからである。２つ目は、光源に発光効率のよいメタルハライドランプを使用しているので、従来の白熱電球等の場合と比較して、光源の総出力を減少でき、この点からも、安定器等の小型軽量化が図られているからである。すなわち、この発明では、支持棒に安定器やメタルハライドランプを複数備えた集魚灯を取り付けても、支持棒に不都合（大きな撓み）は生じず、かつ、スターターと光源との間の距離も短くなって、安全上の問題も生じない。
【００１２】
また、この発明では、メタルハライドランプは、ショートアーク（電極線間距離が数ｍｍ以下、例えば、１．５〜５ｍｍ）で小型（例えば、出力が３５〜７５Ｗ）のため、ランプの発光内管が小さくなり、瞬時点灯及び瞬時再点灯も容易に可能となる。
【００１３】
この発明の請求項２記載の発明は、請求項１記載の発明の場合において、前記反射ミラーは、前記光源からの光をほぼ平行なスポット光として反射させるための焦点を備えているとともに、前記ランプユニットは、前記反射ミラーの光軸方向に前記光源を移動させ、前記反射ミラーからの反射光を、ほぼ平行なスポット光と、外方に発散する光とに切り替えるランプ移動手段を有しており、かつ、前記回路手段は、前記複数のランプユニットの前記ランプ移動手段を同時に作動させる機能を有していることを特徴とする。
【００１４】
この発明では、ショートアークのメタルハライドランプは点光源と見なせるため、これをランプ移動手段により、反射ミラーの光軸方向に沿って、焦点の位置に移動させれば、反射光をほぼ平行なスポット光にすることができるとともに、これをランプ移動手段により、反射ミラーの光軸方向に沿って焦点の位置からずらせば、反射光を外方に発散する発散光とすることができる。
【００１５】
この発明の請求項３記載の発明は、請求項１又は２記載の発明の場合に、前記光源は、発光内管及び外管内の電極線の向きが前記反射ミラーの光軸方向と直行するように、この反射ミラーに位置決めされていることを特徴とする。
【００１６】
この発明の請求項４記載の発明は、請求項１乃至３の何れかに記載の発明の場合に、前記スターターは、プラス１０ＫＶ、マイナス１０ＫＶの点灯用交流電圧を前記光源に印加することを特徴とする。
【発明の効果】
【００１７】
この発明の請求項１記載の発明によれば、メタルハライドランプの使用により、光源の長寿命化や高効率化を達成できるとともに、メタルハライドランプから発した光を反射ミラーで集めて、必要な場所に無駄なく照射できるので、エネルギーの利用効率を上げることができる。また、この発明によれば、同時に点灯・消灯する複数のランプユニットを一体的に備えているので、操作や取り付けが容易であるとともに、ランプユニットの並べ方により、集魚灯からの照度分布も、漁に合わせて種々に変えることができる。さらに、この発明によれば、光源として、ショートアークで小型のメタルハライドランプを使用しているので、瞬時点灯及び瞬時再点灯が容易に可能となり、シャッター等が不要となって、設備のコストダウンや構成の簡単化を図ることができる。さらに、この発明では、集魚灯内に安定器やスターターを有していて、これらを船内に置く必要がないので、船室内を広く利用することができるとともに、安定器等による船室内の温度上昇を防止でき、船室内の作業環境等をよくすることができる。
【００１８】
この発明の請求項２記載の発明によれば、ランプユニットから、水中深くまで達する、平行なスポット光と、水中を広く照射できる、発散光とを照射できるので、漁の状況に応じて集魚灯を種々に利用することができる。
【００１９】
この発明の請求項３記載の発明によれば、ランプユニットからの光を下向きに照射しても、発光内管と外管中を通る電極線の向きは、上下方向を向かず、水平方向を向くこととなる。このため、この発明では、発光内管や外管と電極線とのシール部が、熱のこもる反射ミラー近傍に位置することはなく、これらのシール部が熱によって損傷を受けるのを防止できる。また、下向き照射の場合に、発光内管が上下方向に向いていると、消灯時に発光内管中の発光体が、放電部から離れた発光内管の下部に結晶化するため、点灯時に発光体の完全蒸発が生じにくく、発光色の変更が生じるおそれがあるが、本発明では、このような現象を避けることができる。
【００２０】
この発明の請求項４記載の発明によれば、スターターから光源に印加する点灯用の高圧電圧を、プラス１０ＫＶ、マイナス１０ＫＶの交流電圧としたので、例えば、自動車のヘッドライトのように、プラス２０ＫＶの高電圧パルスを用いる場合に比べて、点灯用の電圧を下げることができ、その分設備の安全性を高めることができる。
【発明を実施するための最良の形態】
【００２１】
以下、この発明の実施の形態を図面を参照しつつ説明する。
図１はこの発明の一実施の形態に係る集魚灯の主要な構成要素であるランプユニットを示している。
【００２２】
ランプユニット２は、図１で示されるように、光源２０と、反射ミラー２１と、カバーレンズ２２と、ミラー支持板２３と、ランプガイド２４と、ランプ支持部２５と、ランプ移動手段となるランプ移動機構２６（図３参照）と、安定器２７と、スターター２８と、高圧配線２９とから構成されている。なお、説明の都合上、ランプユニット２から安定器２７、スターター２８、高圧配線２９を除いたものを、照明部３０という。
【００２３】
光源２０は、高輝度放電ランプ（ＨＩＤランプ）の一種であり、自動車のヘッドライト等に使用されるメタルハライドランプから形成されている。したがって、光源２０は、通常の白熱電球等と比べ、長寿命で、発光効率が高い高効率光源となっている。この光源２０は、図２で示されるように、細長くかつ透明で、内部に発光体（金属のハロゲン化物、又は金属のハロゲン化物とキセノンガスとの混合物）が封入されている発光内管２０ａと、この発光内管２０ａを囲む細長くて透明な外管２０ｂと、外管２０ｂの一端側から発光内管２０ａの一端側を通って、発光内管２０ａの中央部近くまで、互いに近接して向き合うように差し込まれている一対の電極線２０ｃ，２０ｃと、外管２０ｂの外側の電極線２０ｃを覆う保護部材２０ｄと、一対の電極線２０ｃ，２０ｃを高圧配線２９と接続させるソケット部２０ｅとから構成されている。
【００２４】
この光源２０は、出力が小型（本実施例では５５Ｗのものを使用）で、発光内管２０ａ内の電極間距離Ｄ（一対の電極線２０ｃ，２０ｃ間距離）が、数ミリ以下（例えば、１．５〜５ｍｍ程度）と短い、いわゆる、ショートアーク（点光源）タイプのものである。したがって、光源２０は、発光内管２０ａが小型となり、内部の高温・高圧化が容易であるとともに、電極間に形成される電弧の長さも小さいので、瞬時点灯、瞬時再点灯が容易に可能となる。なお、発光内管２０ａは、高品質な石英ガラスから形成されている。
【００２５】
また、この光源２０は、発光内管２０ａや外管２０ｂ内の電極線２０ｃの向き（放電極の向き）が、反射ミラー２１の光軸（回転対称軸）Ｙの向きと直行するように、反射ミラー２１に対して位置決めされている。このため、ランプガイド２４に支持されるソケット部２０ｅは、発光内管２０ａや外管２０ｂの長手方向と直行するように位置決めされている。また、光源２０は、ソケット部２０ｅが、反射ミラー２１の光軸Ｙに沿って移動可能に、ランプガイド２４に支持されているので、発光内管２０ａや外管２０ｂも、反射ミラー２１に対して、その光軸Ｙに沿って移動可能となっている。
【００２６】
ここで、このランプユニット２は、棒受け漁用の集魚灯に用いられるので、照明部３０を下向きにして、光が下向き照射されるように使用される（図９参照）。このため、光源２０の反射ミラー２１近傍には、光源２０で発生した熱がこもるという現象が生じるが、この場合、光源２０の発光内管２０ａや外管２０ｂ中の電極線２０ｃが、反射ミラー２１の光軸Ｙの向き（上下方向）に向いていると、光源２０には、上部側の電極線２０ｃと発光内管２０ａや外管２０ｂとのシール部Ｓ１，Ｓ２に熱による損傷が生じやすい。ところが、この光源２０では、照明部３０が下向きの場合でも、発光内管２０ａや外管２０ｂ中の電極線２０ｃは、反射ミラー２１の光軸Ｙに直交する向き（水平方向）に向いているので、発光内管２０ａや外管２０ｂと反射ミラー２１等との間に充分な放熱空間が設けられ、この放熱空間によって、光源２０のシール部Ｓ１，Ｓ２等に熱による損傷が生じるのが防止される。もちろん、反射ミラー２１外方の光源２０の取り付け部に、ヒートシンクのような冷却手段を取り付ければ、上記のような不都合は生じない。
【００２７】
また、光源２０の発光内管２０ａや外管２０ｂ（中の電極線２０ｃ）が、反射ミラー２１の光軸Ｙの向きに向き、かつ、下向き照射するように光源２０を下に向けると、光源２０の冷却時、発光内管２０ａ内の金属のハロゲン化物が放電部から離れた発光内管２０ａの下部で結晶化し、点灯時に、金属のハロゲン化物が完全に蒸発しにくく、光源２０の発光色が異なってしまうという問題があるが、発光内管２０ａ内の電極線２０ｃの向きを、反射ミラー２１の光軸Ｙに直交する向きに向ければ、金属のハロゲン化物が発光内管２０ａの放電部近傍に結晶化するため、このような不都合は生じない。
【００２８】
反射ミラー２１は、光源２０の背後や側方に照射される光を集めて（反射して）、前方のカバーレンズ２２側に照射するものである。この反射ミラー２１は、アルミ板から形成される放物面鏡であり、内面の鏡面部には、反射光を均一化するエンボス加工（小凹凸模様の付加）が施されている。この反射ミラー２１は、中心部を、ミラー支持板２３と不図示のねじを介して、ランプガイド２４の拡径部２４ａに加圧固定されており、ランプガイド２４の孔から突出する光源２０（詳細に言えば、発光内管２０ａ内の放電部分）を、その光軸Ｙ上に位置させている。なお、反射ミラー２１の外周部は、鏡面加工されていない平らなリング部２１ａとなっている。
【００２９】
カバーレンズ２２は、反射ミラー２１の開口端側を隙間なく覆って、反射ミラー２１や光源２０を保護するガラスレンズであり、外周部内面が、防水用のシリコンゴムＧを介して、反射ミラー２１のリング部２１ａに接着固定されている。このカバーレンズ２２は、光源２０からの前方への直接光及び反射ミラー２１からの反射光を、反射ミラー２１の光軸Ｙ側に集めるように、凸レンズ形状に形成されている。なお、ランプガイド２４は、光源２０のソケット部２０ｅを反射ミラー２１の光軸Ｙに沿って移動自在に支持しており、ランプ支持部２５は、ランプガイド２４に取り付けられ、内部に、ランプ移動機構２６を収納している。ランプガイド２４及びランプ支持部２５は、絶縁材から形成されている。
【００３０】
ランプ移動機構２６は、光源２０を、反射ミラー２１の光軸Ｙに沿って、この光軸Ｙ上の２点（焦点Ｆと後方拡散点Ｋ）間に、例えば１〜７ｍｍの距離Ｅだけ移動させるものである。このランプ移動機構２６は、図３で示されるように、ランプ支持部２５内に収納されており、励磁によって可動鉄芯２６０ａを所定距離だけ内部に引き込むソレノイド２６０と、ソレノイド２６０の可動鉄芯２６０ａを弾性力により所定距離だけ外方に引き出すバネ部材２６１と、支点Ｒを中心にランプ支持部２５に回動自在に支持され、ソレノイド２６０の可動鉄芯２６０ａの進退によって、電極線２０ｃのソケット部２０ｅを反射ミラー２１の光軸Ｙに沿って移動させ、光源２０（発光内管２０ａ）を反射ミラー２１の焦点Ｆと発散点Ｋの位置に位置決めするカム２６２とから構成されている。なお、ソレノイド２６０の可動鉄芯２６０ａとカム２６２、及びカム２６２と電極線２０ｃのソケット部２０ｅとは、それぞれ、回動可能なピン接合部Ｑ１，Ｑ２により連結されている。また、ソレノイド２６０には、電源コード２６０ｂを介して、所定の電源から電気が供給される。
【００３１】
ここで、ソレノイド２６０に電源が投入され、これが励磁されると、可動鉄芯２６０ａが内部に引き込まれ、カム２６２を介して、光源２０のソケット部２０ｅがランプ支持部２５内に引き込まれるので、光源２０は反射ミラー２１の発散点Ｋの位置に位置決めされる。このため、光源２０からの光は、カバーレンズ２２である程度は収束されるが、光柱角が最大で４５度となるような発散光として外方に照射される。また、ソレノイド２６０への電気の供給が停止されると、可動鉄芯２６０ａがバネ部材２６１により外方に所定長さだけ引き出され、カム２６２を介して、光源２０は反射ミラー２１の焦点Ｆの位置に位置決めされる。このため、光源２０からの光は、反射ミラー２１とカバーレンズ２２を介して、ほぼ平行なスポット光として外方に照射される。
【００３２】
安定器２７は、光源２０を安定的に点灯させるものであり、出力５５Ｗの光源２０用で、その大きさは、縦１２０ｍｍ、横９０ｍｍ、厚さ３５ｍｍであり、その重さは、数百グラムである。なお、安定器２７には、電源コード２７ａを介して、ＡＣ１００〜２４０Ｖ電源から電気が供給される。
【００３３】
スターター２８は、電気的に、安定器２７と光源２０との間に置かれ、光源２０を瞬時点灯（冷えた状態から瞬時に所望の光量が得られるように点灯させること）、及び瞬時再点灯（消灯後直ちに所望の光量が得られるように点灯させること）させるものである。このスターター２８は、プラス１０ＫＶ、マイナス１０ＫＶの高電圧交流を光源２０に印加して、光源２０の瞬時点灯、瞬時再点灯を実現している。このため、このスターター２８は、自動車のヘッドライト用のスターター（例えば、２０ＫＶの高電圧パルスを印加）等と比べ、瞬間的には１０ＫＶの電位差しか生じさせないため、安全性に優れている。
【００３４】
このスターター２８は、光源２０との間の高圧配線２９を短くして、漏電防止性能といった設備の安全性を高めるため、光源２０の近くに設置される。また、このスターター２８は、安定器２７とスターター２８間の配線に、高圧配線２９に起因して、高周波ノイズが発生するのを防止すべく、安定器２７と一体又は安定器２７の近くに設置される。
【００３５】
図４はこの発明の一実施の形態に係る集魚灯１を示している。
この集魚灯１は、出力５５Ｗの光源２０を使用したランプユニット２を６セット、一列に並べるように一体化し、内部への水の侵入を防止（防水処理）したものである。この集魚灯１は、図４で示されるように、６セットのランプユニット２と、ランプユニット２を収納する断面（コ）の字形の細長いケース３と、ケース３の開口を覆って塞ぐとともに、ランプユニット２の照明部３０が取り付けられるケース蓋４と、断面（コ）の字型の、６個のリング状ゴムパッキン５と（図１参照）、６個の押さえ枠板６と、複数の止めねじ７と、２枚のガイド板８と、６個のランプユニット２を同時に点灯・消灯させる回路手段としての端子板９と、トグルスイッチ１０とから構成されている。なお、ケース３、ケース蓋４、押さえ枠板６、及びガイド板８は、薄い（例えば厚さ１．２ｍｍ）ステンレス板から形成されている。また、止めねじ７もステンレス材により形成されている。
【００３６】
ケース蓋４には、図４の（ａ）で示されるように、１９０ｍｍのピッチＰで、ランプユニット２のカバーレンズ２２等をケース３の外に突き出すための円形開口４ａ（図１参照）が、６個形成されているとともに、押さえ枠板６にも同じサイズの円形開口６ａが形成されている。ランプユニット２の照明部３０をケース蓋４に取り付けるには、図１で示されるように、反射ミラー２１とカバーレンズ２２との外周部にゴムパッキン５が嵌め込まれた照明部３０のゴムパッキン５側を、円形開口４ａから突き出すようにしてケース蓋４に当てるとともに、カバーレンズ２２の中央部を円形開口６ａ側に逃がすようにして、ゴムパッキン５の反対側に押さえ枠板６を当てた後、押さえ枠板６側から差し込んだ止めねじ７をケース蓋４にねじ込み、照明部３０のゴムパッキン５側を押さえ枠板６によりケース蓋４側に加圧固定すればよい。
【００３７】
したがって、集魚灯１は、図４の（ｂ）で示されるように、ケース３内にランプユニット２の６セット分の安定器２７とスターター２８とを収納するように取り付けた後、６つの安定器２７からの電源コード２７ａを端子板９に接続するとともに、ケース蓋４に取り付けられたランプユニット２の６つの照明部３０からの電源コード２６０ｂを端子板９に接続し、つぎに、６つの照明部３０が取り付けられたケース蓋４をケース３に不図示のパッキンを介して取り付け、最後に、２つのガイド板８をケース３に取り付ければ、防水処理された状態で、その外観は完成する。そして、ケース３の端子板９には、ケース３の貫通パイプ部３ｂを介して、船内の所定の電源につながる電源ケーブルが接続されるとともに、船内の操作盤側からの、光源２０の遠隔操作用オン／オフ信号線と、ソレノイド２６０の遠隔操作用の動作信号線とがパイプ部３ｂを介して接続される。なお、トグルスイッチ１０は、現場で、ランプユニット２の６つの光源２０を同時に点灯及び消灯するためのものである。
【００３８】
この集魚灯１は、ケース３の長さＬ１が１１４０ｍｍ、幅Ｌ２が１９０ｍｍ、奥行きＬ３が１５５ｍｍ、ガイド板８間の最大距離Ｌ４が２５０ｍｍ、ガイド板８を含めた奥行きＬ５が２００ｍｍの細長い形状のものであり、総重量も１９Ｋｇしかない。したがって、この集魚灯１を、ケース３の上部の両端側に設けられた固定部３ａを介して、漁船１００の支持棒１０１（何れも図７参照）の一端側に取り付けても、光源２０の全出力が小さくて、その総重量も小さいので、この集魚灯１によって、支持棒１０１が大きく撓んでしまうことはなく、この集魚灯１の取り扱いも容易となる。
【００３９】
また、この集魚灯１では、６つのランプユニット２を同時に点灯及び消灯できるとともに、６つのランプユニット２からの光を、同時に、スポット光Ｊ１か、発散光Ｊ２（何れも図８参照）かに変更できるので、６つのランプユニット２の取り扱いも容易である。
【００４０】
さらに、この集魚灯１では、反射ミラー２１やカバーレンズ２２を使用して、光源２０からの光をロスなく所望の場所に照射できるので、従来の集魚灯に比べて、エネルギーの利用効率がよい。すなわち、この集魚灯１では、簡単な傘を使用した従来の白熱電球の集魚灯（スズラン灯）（このスズラン灯では、光源（白熱電球）の側方や一部上方への光の飛散があるため、必要な海面の照射には、多く見積もっても、発生光量の１／２程度しか利用されていない）に比べて、光の利用効率を２倍以上、上げることができる。また、この集魚灯１では、メタルハライドランプを使用しているので、白熱電球等と比べて発光効率がよく、出力５５Ｗの６個の光源２０（総出力３５０Ｗ）で、裸電球の状態で使用される出力５００Ｗの白熱電球６個分（総出力３ＫＷ）の光量を出すことができる。このため、この集魚灯１は、必要な場所への必要量の光の照射という観点では、出力５００Ｗの白熱電球１２個を備えた従来のスズラン灯と同等とみなすことができる。したがって、この集魚灯１では、エネルギーの有効利用を図ることができ、経費の節減を図ることができる。
【００４１】
もちろん、この集魚灯１では、光源２０にメタルハライドランプを使用しているので、光源２０の高効率化以外に、光源２０の長寿命化をも図ることができるとともに、メタルハライドランプを使用しても、光源２０の瞬時点灯及び瞬時再点灯ができるので、その使い勝手が悪くなることもない。
【００４２】
また、この集魚灯１では、光源２０からの光を、スポット光Ｊ１と発散光Ｊ２とに瞬時に切り替えることができるので、例えばサンマ漁で、サンマが海中の深い位置にいる場合や漁船から離れた位置にいる場合には、水中深く達するスポット光Ｊ１を用い、サンマが比較的漁船近くに達すると、発散光Ｊ２を用いて漁船の周りを広く照らす等、漁の状態に応じて、集魚灯１を種々に利用することができる。
【００４３】
さらに、この集魚灯１では、６個のランプユニット２が１列に長く配置されているので、棒受け漁に適した、漁船側から海側に向かって細長い照度分布を容易に得ることができる。
【００４４】
また、この集魚灯１では、安定器２７やスターター２８を船室内に収納する必要がないので、船室内を広く利用できるとともに、安定器２７等による船室内の温度上昇を防止でき、船室内の作業環境等をよくすることができる。もちろん、この集魚灯１では、光源２０とスターター２８間の高圧配線２９が短く、かつ、スターター２８や高圧配線２９がケース３内に防水状態で収納されているので、高圧配線２９等に漏電等が生じにくく、設備の安全性を高めることができる。
【００４５】
なお、集魚灯１は、ランプユニット２を３個以上横に並べたものであればよく、光源２０の出力も、３５Ｗ〜７０Ｗ程度の小型のものであれば、どのようなものでもよい。
【００４６】
また、反射ミラー２１の形状も、反射光を平行光にできるものであれば、放物面形状に限らず、楕円面の一部を用いるものであってもよい。
【００４７】
さらに、ケース３やケース蓋４等の材質を、金属材（ステンレス材）でなく、ＦＲＢ等から形成することにより、集魚灯１の重量をさらに小さくすることができる。
【００４８】
図５及び図６は他の実施の形態に係る集魚灯１Ａを示している。この集魚灯１Ａでは、１つのランプユニット２のみを、１個用のケース蓋や押さえ枠板等を使用して、小ケース１１中に取り付けてランプ装置２Ａを形成し、このランプ装置２Ａを、複数台（この場合、６台）、平面的に（例えば１０角形状に）並べた後、これらを、その背面側に配置される支持具１２，１３で一体的に連結支持させたものである。なお、符号１４は、支持具１３に支持されるサイドカバーであり、符号１５は、６つのランプ装置２Ａを、同時に点灯・消灯させるとともに、光源２０を同時に移動させるための、防水処理された回路手段としての端子板である。
【００４９】
この集魚灯１Ａでは、中央部に配置されるものを除いた、外周側に配置されるランプ装置２Ａが、光の照射面をやや側方を向けるように傾けられていて、広範囲に光を照射できるようになっている。また、この集魚灯１Ａでは、ランプ装置２Ａの並べ方によって、種々の形状の照度分布を簡単に得ることができる。
【００５０】
つぎに、この集魚灯１を使用した、例えばサンマの棒受け漁について説明する。
図７は、サンマの棒受け漁を行う漁船１００を上方から見た状態を示している。
この漁船１００には、右舷１００ａ側に６本、左舷１００ｂ側に２本、船首１００ｃ側に１本、計９本の細長い支持棒１０１が、海面側に突き出すように位置決めされており、これらの支持棒１０１の一端側には、海面を照射できるように集魚灯１が下向きに取り付けられている。これらの支持棒１０１は、下端を支点として上端側を上下方向に回動できるようになっているが、この実施の形態例では、図９で示されるように、海面Ｈと例えば２０度の角度をなすように位置決めされていて、集魚灯１が海面Ｈに向かってほぼ下向きに光を照射している。船首１００ｃ側の支持棒１０１のみは、下端を中心に、右舷１００ａ側から、左舷１００ｂ側まで、首を振るように水平回動でき、その集魚灯１で、漁船１００の右舷１００ａ側から船首１００ｃ側を通って左舷１００ｂ側までの海面Ｈを照射する。なお、漁船１００の左舷１００ｂ側の中央の支持棒１０１には、本発明とは異なる赤色光を発する集魚灯２００が取り付けられている。
【００５１】
図８は、漁船１００のすべての集魚灯１を点灯した状態を示している。漁船１００には、平面上、これと直行するように海面Ｈ側に向かって支持棒１０１が取り付けられ、この支持棒１０１に沿って集魚灯１が取り付けられているので、この集魚灯１を点灯すると、漁船１００外方の海面Ｈは縦長の楕円状に照らされる。この場合、集魚灯１からの光がスポット光Ｊ１であれば、各集魚灯１からの光は交わることなく海面Ｈを強く照射するが、集魚灯１からの光が発散光Ｊ２であれば、少なくとも、右舷１００ａ側の集魚灯１からの光は、互いに重なり合い、漁船１００の右舷１００ａ側の海面Ｈ全体を広く照射する。
【００５２】
サンマ漁用の棒受け網１０２は、図７で示されるように、上方から見て四角い開口を有した袋状のものであり、一般に漁船１００の左舷１００ｂ側に仕掛けられる。この棒受け網１０２には、漁船１００から離れた側の開口端に、海面Ｈに浮く、細長い向竹１０３が取り付けられており、漁船１００側の開口端１０２ａには、これを漁船１００側に引き上げるための複数のロープ１０４が取り付けられている。この棒受け網１０２では、サンマＳ（図９参照）を内部に誘い込んだ後、ロープ１０４を引いて開口端１０２ａを海面Ｈ側に持ち上げるとともに、向竹１０３を漁船１００側に引いて、サンマＳを捕獲する。
【００５３】
夜間、魚群探知機等を使用してサンマＳの群れを見つけると、漁船１００は微速で進み、船首１００ｃ側の集魚灯１も右舷１００ａ側に回して、右舷１００ａ側の集魚灯１をすべて点灯し、漁船１００の右舷１００ａ側に走光性のサンマＳを誘集する。この場合、サンマＳが海中深い位置にいれば、集魚灯１からは、到達距離の長いスポット光Ｊ１が照射され、サンマＳが海中の浅い位置にいたり、浅い位置に上がってくると、広範囲に光を照射する発散光Ｊ２が照射される。また、サンマＳの群れの移動状況によっては、集魚灯１を消灯して漁船１００をサンマＳの群れの方に高速移動させた後、集魚灯１を上述のように点灯する。そして、サンマＳが漁船１００の右舷１００ａ側に集まり始めると、漁船１００の左舷１００ｂ側に、棒受け網１０２を仕掛ける。
【００５４】
つぎに、図９で示されるように、サンマＳの群れが漁船１００の右舷１００ａ側に充分に集まってくると、右舷１００ａ側の集魚灯１を消灯し、左舷１００ｂ側の集魚灯１を点灯して、漁船１００の右舷１００ａ側のサンマＳを船底下方を通って左舷１００ｂ側に移動させる。この場合、船首１００ｃ側の集魚灯１は、点灯した状態で、左舷１００ｂ側までゆっくり回動され、サンマＳを漁船１００の左舷１００ｂ側に誘導するとともに、消灯後右舷１００ａ側に回動して同様な動作を繰り返す。そして、図１０で示されるように、サンマＳを漁船１００の左舷１００ｂ側に充分誘導すると、左舷１００ｂ側の集魚灯１も消灯し、赤色の集魚灯２００のみを点灯して、サンマＳを海面Ｈ近くまで上昇させ、その後、ロープ１０２ｃを引き上げるとともに、向竹１０２ａを引き寄せ、サンマＳを棒受け網１０２を用いて捕獲する。なお、右舷１００ａ側の集魚灯１を消灯後、左舷１００ｂ側へサンマＳが充分に集まらない場合等には、再度右舷１００ａ側の集魚灯１を点灯する等をして、臨機応変な漁がなされる。
【００５５】
以上のように、サンマ漁では、集魚灯１の点灯・消灯が繰り返されるので、集魚灯１には、瞬時点灯、瞬時再点灯の機能が要求されるが、この集魚灯１では、その要求に充分答えることができる。なお、支持棒１０１を長くし、これに、２つの集魚灯１を直列に取り付けるようにしてもよい。
【図面の簡単な説明】
【００５６】
【図１】この発明の一実施の形態に係る集魚灯の主要な構成要素であるランプユニットの説明図である。
【図２】ランプユニットの光源の拡大説明図である。
【図３】ランプユニットのランプ移動機構の説明図である。
【図４】集魚灯を示す図であり、（ａ）は正面図、（ｂ）は（ａ）のＡーＡ矢視断面図、（ｃ）は（ａ）のＢーＢ矢視図である。
【図５】変更実施例に係る集魚灯の側断面図である。
【図６】図５のＣーＣ矢視図である。
【図７】集魚灯を備えた漁船の平面図である。
【図８】漁船の集魚灯をすべて点灯した状態を示す図である。
【図９】集魚灯で海中のサンマを漁船の右舷側に集めている状態を示す図である。
【図１０】漁船の右舷側のサンマを左舷側の棒受け網に誘導している状態を示す図であ
【符号の説明】
【００５７】
１    集魚灯
２    ランプユニット
９    端子板（回路手段）
２０    光源
２０ａ  発光内管
２０ｂ  外管
２０ｃ  電極線
２１    反射ミラー
２６    ランプ移動機構（ランプ移動手段）
２７    安定器
２８    スターター
１００    漁船
１０１    支持棒
１０２    棒受け網
Ｆ    焦点
Ｈ    海面（水面）
Ｊ１  スポット光
Ｊ２  発散光
Ｙ    光軸